(57)【特許請求の範囲】
【請求項１】
熱膨張体を収容する本体部及び該本体部内の熱膨張体の体積変化に応じて進退するピストンを有するサーモエレメントと、該サーモエレメントと同軸上に配置され前記ピストンの進退に連動するロッド部材と、該ロッド部材の基端部を前記サーモエレメント方向に付勢する付勢部材と、前記サーモエレメントを収容する第１のハウジングと、前記ロッド部材及び前記付勢部材を収容する第２のハウジングとを備え、前記ロッド部材が前記ピストンに連動するように配置した状態で前記第１のハウジングと前記第２のハウジングとを接合して成るサーモアクチュエータにおいて、前記第１のハウジング内に収容され、前記サーモエレメントの軸を中心とする軸方向の中空部を有し、該中空部内に前記サーモエレメントの本体部を保持する保持部材と、開口部が前記本体部に固定される環状の隔壁板であって、板面が前記サーモエレメントの軸に対して直交すると共に、当該板面が前記保持部材の軸方向端面に当接するように配置される隔壁板とを備え、前記サーモエレメントが非作動状態にあるときには、前記ロッド部材の基端部に対する前記付勢部材の前記サーモエレメント方向への付勢力が前記隔壁板を介して前記保持部材に付与されるように配設したことを特徴とするサーモアクチュエータ。
【請求項２】
前記第１のハウジングは、開口端にフランジ部を有する円筒体のサーモエレメント保持部を備え、前記保持部材は、底部に前記サーモエレメントの本体部が挿通する連通孔が形成され、前記サーモエレメント保持部に固定される有底円筒体であって、前記隔壁板は、前記保持部材の外径より小の外径を有する環状円板であることを特徴とする請求項１記載のサーモアクチュエータ。
【請求項３】
前記第２のハウジングは、前記第１のハウジングのフランジ部に接合されるフランジ部を開口端に有し、底部に前記ロッド部材を摺動可能に支持する連通孔が形成された有底円筒体であって、前記付勢部材が、前記有底円筒体内の前記ロッド部材周りに介装され、前記有底円筒体の底部と前記ロッド部材の基端部との間に張設される圧縮コイルばねであることを特徴とする請求項２記載のサーモアクチュエータ。
【請求項４】
前記第２のハウジングの内径は、前記第１のハウジングの内径より小であることを特徴とする請求項３記載のサーモアクチュエータ。
【請求項５】
前記サーモエレメントと前記ロッド部材との間に介装され、前記サーモエレメントが非作動状態にあるときには前記ロッド部材の基端部が当接する軸方向端面を有する環状部材を備え、該環状部材と前記保持部材との間に前記隔壁板が挟持された状態で、前記第１のハウジングと前記第２のハウジングが接合されていることを特徴とする請求項１乃至４の何れか一項に記載のサーモアクチュエータ。
【請求項６】
前記環状部材は、前記サーモエレメントから前記ロッド部材に向かって内径が漸減する小径部を有し、該小径部内に前記サーモエレメントの本体部先端が嵌合されることを特徴とする請求項５記載のサーモアクチュエータ。
【発明の詳細な説明】
【技術分野】
【０００１】
本発明は、サーモアクチュエータに関し、特に、汎用のサーモエレメントを用いたサーモアクチュエータに係る。
【背景技術】
【０００２】
自動車や家庭用熱機器において、制御媒体等の温度変化に応じてバルブ等を開閉させるサーモアクチュエータとして、サーモエレメントを用いたものが多用されている。このサーモエレメントは汎用品としても市販されており、周囲温度変化により体積膨張及び体積収縮する熱膨張体（例えばパラフィンワックス）がエレメント本体内に封入され、熱膨張体の体積変化により、エレメント本体から外方へ突出したピストンが進退作動するように構成されている。このサーモエレメントの一般的な構造は、例えば下記の特許文献１に開示されている。
【０００３】
特に、内燃機関を搭載する自動車において総合的な熱効率の向上のために、内燃機関の排気熱を熱交換器で回収し、冷却媒体を加熱して諸機関の暖機促進や暖房性能向上に供する排気熱回収装置（ヒートコレクタ）が普及しつつある。これらの排気熱回収装置においては、サーモエレメントの交換性を担保するために、サーモエレメントを筐体（ハウジング）に収容し、その筐体内に熱媒体を導入するように構成されたサーモアクチュエータが用いられている。例えば下記の特許文献２には、「サーモエレメントからロッド部材への伝達力を向上させることができるとともに、サーモエレメントの応答性を向上させることができるサーモアクチュエータを提供することを目的」とし、「冷却水の温度に応じて膨張および収縮する熱膨張体を有するサーモエレメントと、前記サーモエレメントに対向して前記サーモエレメントの中心軸上に設けられ、前記熱膨張体の膨張および収縮に応じて前記中心軸に沿って移動するロッド部材と、前記ロッド部材を前記サーモエレメント側に付勢する付勢部材と、前記サーモエレメントを収容するとともに、内部に前記冷却水が流通する冷却水通路が形成される第１のケースと、前記第１のケースと前記サーモエレメントとの間に介装され、前記サーモエレメントの外周部をシールするシール部材を保持する保持部材と、前記第１のケースの第１の合わせ面に対向する第２の合わせ面を有し、前記ロッド部材および前記付勢部材を収容する第２のケースと、前記第１の合わせ面および前記第２の合わせ面に挟持されて前記第１のケースおよび前記第２のケースによって支持される第１の支持部および前記サーモエレメントを支持する第２の支持部を有する支持部材とを備え、前記支持部材の前記第２の支持部は、前記第１の支持部から前記サーモエレメントに向かって突出するように段差部を介して前記第１の支持部に連接されるものから構成されている」サーモアクチュエータが提案されている（特許文献２の段落〔０００９〕及び〔００１０〕に記載）。
【先行技術文献】
【特許文献】
【０００４】
【特許文献１】特開平１１−３１５７２０号公報
【特許文献２】特開２０１４−１０１８３４号公報
【発明の概要】
【発明が解決しようとする課題】
【０００５】
上記特許文献２においては、「このサーモアクチュエータは、支持部材の第２の支持部が、第１のケースの第１の合わせ面および第２のケースの第２の合わせ面に挟持される第１の支持部からサーモエレメントに向かって突出するように段差部を介して第１の支持部に連接されるので、段差部によって支持部材の剛性を高くすることができる」とされ（特許文献２の段落〔００１１〕に記載）、「このため、サーモエレメントによってロッド部材を移動させるときに、ロッド部材からサーモエレメントに加えられる反力によって支持部材が撓んでしまうのを防止することができる。したがって、サーモエレメントがロッド部材と反対方向に後退するのを防止することができ、サーモエレメントからロッド部材への伝達力を向上させることができる」とされている（特許文献２の段落〔００１２〕に記載）。
【０００６】
然しながら、上記特許文献２に記載のサーモアクチュエータにおいては、サーモエレメントに対し、ロッド部材を介して付勢部材の付勢力が常時付与される状態にあり、サーモエレメントが非作動状態にあるときにも、サーモエレメントに対して付勢力が付与されている。サーモエレメントが非作動状態にあるときの付勢力は、前述の「サーモエレメントによってロッド部材を移動させるときに、ロッド部材からサーモエレメントに加えられる反力」より小さいが、サーモエレメントに対し、付勢力によるストレスが常時付与されることになるので、耐久性上好ましい状態とは言えない。
【０００７】
そこで、本発明は、サーモエレメントが非作動状態にあるときには、サーモエレメントは付勢力が付与されない自由状態で保持され、良好な耐久性を維持し得るサーモアクチュエータを提供することを課題とする。
【課題を解決するための手段】
【０００８】
上記の課題を達成するため、本発明は、熱膨張体を収容する本体部及び該本体部内の熱膨張体の体積変化に応じて進退するピストンを有するサーモエレメントと、該サーモエレメントと同軸上に配置され前記ピストンの進退に連動するロッド部材と、該ロッド部材の基端部を前記サーモエレメント方向に付勢する付勢部材と、前記サーモエレメントを収容する第１のハウジングと、前記ロッド部材及び前記付勢部材を収容する第２のハウジングとを備え、前記ロッド部材が前記ピストンに連動するように配置した状態で前記第１のハウジングと前記第２のハウジングとを接合して成るサーモアクチュエータにおいて、前記第１のハウジング内に収容され、前記サーモエレメントの軸を中心とする軸方向の中空部を有し、該中空部内に前記サーモエレメントの本体部を保持する保持部材と、開口部が前記本体部に固定される環状の隔壁板であって、板面が前記サーモエレメントの軸に対して直交すると共に、当該板面が前記保持部材の軸方向端面に当接するように配置される隔壁板とを備え、前記サーモエレメントが非作動状態にあるときには、前記ロッド部材の基端部に対する前記付勢部材の前記サーモエレメント方向への付勢力が前記隔壁板を介して前記保持部材に付与されるように配設することとしたものである。
【０００９】
上記のサーモアクチュエータにおいて、前記第１のハウジングは、開口端にフランジ部を有する円筒体のサーモエレメント保持部を備えたものとし、前記保持部材は、底部に前記サーモエレメントの本体部が挿通する連通孔が形成され、前記サーモエレメント保持部に固定される有底円筒体であって、前記隔壁板は、前記保持部材の外径より小の外径を有する環状円板で構成するとよい。
【００１０】
前記第２のハウジングは、前記第１のハウジングのフランジ部に接合されるフランジ部を開口端に有し、底部に前記ロッド部材を摺動可能に支持する連通孔が形成された有底円筒体であって、前記付勢部材が、前記有底円筒体内の前記ロッド部材周りに介装され、前記有底円筒体の底部と前記ロッド部材の基端部との間に張設される圧縮コイルばねで構成するとよい。特に、前記第２のハウジングの内径を、前記第１のハウジングの内径より小に設定するとよい。
【００１１】
更に、上記のサーモアクチュエータにおいて、前記サーモエレメントと前記ロッド部材との間に介装され、前記サーモエレメントが非作動状態にあるときには前記ロッド部材の基端部が当接する軸方向端面を有する環状部材を備えたものとし、該環状部材と前記保持部材との間に前記隔壁板が挟持された状態で、前記第１のハウジングと前記第２のハウジングが接合されるように構成するとよい。特に、前記環状部材は、前記サーモエレメントから前記ロッド部材に向かって内径が漸減する小径部を有し、該小径部内に前記サーモエレメントの本体部先端が嵌合されるように構成するとよい。
【発明の効果】
【００１２】
本発明は上述のように構成されているので以下の効果を奏する。即ち、本発明は、第１のハウジング内に収容され、サーモエレメントの軸を中心とする軸方向の中空部を有し、中空部内にサーモエレメントの本体部を保持する保持部材と、開口部が本体部に固定される環状の隔壁板であって、板面がサーモエレメントの軸に対して直交すると共に、板面が保持部材の軸方向端面に当接するように配置される隔壁板とを備え、サーモエレメントが非作動状態にあるときには、ロッド部材の基端部に対する付勢部材のサーモエレメント方向への付勢力が隔壁板を介して保持部材に付与されるように配設されており、非作動状態にあるときにはサーモエレメントには付勢力が付与されず、自由状態で保持されるので、良好な耐久性を維持することができ、サーモアクチュエータを確実に作動させることができる。
【００１３】
上記のサーモアクチュエータにおいて、第１のハウジングは、開口端にフランジ部を有する円筒体のサーモエレメント保持部を備えたものとし、保持部材は、底部にサーモエレメントの本体部が挿通する連通孔が形成され、サーモエレメント保持部に固定される有底円筒体で構成し、隔壁板は、保持部材の外径より小の外径を有する環状円板で構成すれば、サーモエレメントを容易且つ適切に保持することができ、良好な耐久性を維持することができる。
【００１４】
上記第２のハウジングは、第１のハウジングのフランジ部に接合されるフランジ部を開口端に有し、底部にロッド部材を摺動可能に支持する連通孔が形成された有底円筒体で構成し、付勢部材は、有底円筒体内のロッド部材周りに介装され、有底円筒体の底部とロッド部材の基端部との間に張設される圧縮コイルばねで構成すれば、サーモエレメントを適切に保持することができるので、良好な耐久性を維持することができる。尚、第２のハウジングの内径を、第１のハウジングの内径より小に設定すれば、サーモエレメント及び隔壁板を容易に組み付けることができると共に、適切に保持することができる。
【００１５】
更に、上記のサーモアクチュエータにおいて、サーモエレメントとロッド部材との間に介装され、サーモエレメントが非作動状態にあるときにはロッド部材の基端部が当接する軸方向端面を有する環状部材を備えたものとし、環状部材と保持部材との間に隔壁板が挟持された状態で、第１のハウジングと第２のハウジングが接合されるように構成すれば、サーモエレメント等を容易に組み付けることができ、良好な組付性を確保することができると共に、その組付状態を確実に維持することができる。更に、環状部材を、サーモエレメントからロッド部材に向かって内径が漸減する小径部を有するものと、小径部内にサーモエレメントの本体部先端が嵌合されるように構成すれば、サーモエレメントとロッド部材を容易に同軸上に配置することができると共に、その組付状態を確実に維持することができる。
【図面の簡単な説明】
【００１６】
【図１】本発明の一実施形態に係るサーモアクチュエータの横断面図である。
【図２】本発明の他の実施形態に係るサーモアクチュエータの横断面図である。
【図３】本発明の他の実施形態に係るサーモアクチュエータの組付状態を示す断面図である。
【図４】本発明の更に他の実施形態に係るサーモアクチュエータの横断面図である。
【発明を実施するための形態】
【００１７】
以下、本発明の望ましい実施形態について図面を参照して説明する。図１は本発明の一実施形態に係るサーモアクチュエータを示すもので、例えば内燃機関の排気熱回収装置（図示せず）に装着される。即ち、後述する第１のハウジング１内に熱媒体流路ＨＰが形成されており、この熱媒体流路ＨＰがパイプ１ａ及び１ｂを介して、特許文献２に記載の装置と同様の排気熱回収装置の冷却媒体流路（図示せず）に連通接続される。
【００１８】
本実施形態のサーモアクチュエータは、熱膨張体（例えばサーモワックス）を収容する本体部１１、及び熱膨張体の体積変化に応じて進退するピストン１２を有するサーモエレメント１０と、このサーモエレメント１０と同軸上に配置されピストン１２の進退に連動するロッド部材２０と、ロッド部材２０の基端部２１をサーモエレメント１０方向に付勢する付勢部材３０を備えている。更に、サーモエレメント１０を収容する第１のハウジング１と、ロッド部材２０及び付勢部材３０を収容する第２のハウジング２を備え、ロッド部材２０がピストン１２に連動するように配置された状態で、第１のハウジング１と第２のハウジング２が接合されている。
【００１９】
第１のハウジング１は、開口端にフランジ部１ｆを有する円筒形状のサーモエレメント保持部１ｈが形成され、その内面に保持部材４０が接合されている。そして、保持部材４０の軸方向端面に当接するように環状の隔壁板５０が配置され、本実施形態では保持部材４０と第２のハウジング２との間に隔壁板５０が挟持された状態となっている。保持部材４０は金属製の有底円筒体で、その開口端の全周に亘って第１のハウジング１（サーモエレメント保持部１ｈ）にレーザ溶接され、第１のハウジング１内に強固に固定されている。保持部材４０は、装着対象のサーモエレメント１０の軸を中心とする軸方向の中空部４１を有し、保持部材４０の底部に形成された連通孔４２に、サーモエレメント１０の本体部１１が挿通され、シール部材１５と共に、中空部４１内に保持されている。
【００２０】
上記の隔壁板５０は、保持部材４０の外径より小の外径を有する環状円板で構成されており、その開口部にサーモエレメント１０の本体部１１が固定（後述する止め輪１４によって保持）され、板面がサーモエレメント１０の軸に対して直交すると共に、当該板面が保持部材４０の軸方向端面に当接するように配置される。而して、サーモエレメント１０が非作動状態にあるときには、ロッド部材２０の基端部２１に対する付勢部材３０のサーモエレメント１０方向への付勢力が隔壁板５０を介して保持部材４０に付与され、この保持部材４０にて付勢部材３０の付勢力が負担されるように構成されている。
【００２１】
一方、第２のハウジング２は有底円筒体で構成され、その開口端に、第１のハウジング１のフランジ部１ｆに接合されるフランジ部２ｆが形成され、その底部には、ロッド部材２０を（後述のシール部材７０を介して）摺動可能に支持する連通孔２ａが形成されている。図１に示すように、第２のハウジング２の内径は、第１のハウジング１の内径より小に設定されているので、両者間に段差が形成されている。従って、隔壁板５０は保持部材４０と第２のハウジング２のフランジ部２ｆとの間に挟持されるように構成されている。上記のように形成された第１のハウジング１及び第２のハウジング２内にサーモエレメント１０及びロッド部材２０等が収容された状態で、フランジ部１ｆ及び２ｆが当接するように配置され、両者がボルト・ナット結合される。尚、ボルト・ナット結合に限らず、カシメや接着等、他の接合手段を用いることとしてもよい。
【００２２】
上記のサーモエレメント１０は汎用品で、従前と同様であるので構造の説明は省略するが、本体部１１の軸方向端面に環状凹部（図１に破線で示し、符合は省略）が形成されており、この環状凹部の底面に、隔壁板５０の中央開口周りに形成された立壁部（符合は省略）の開口端面が当接するように配置され、例えば金属製Ｏリングの止め輪１４によって隔壁板５０が保持される（換言すれば、サーモエレメント１０が隔壁板５０に保持される）ように構成されている。
【００２３】
図１に示すように、ロッド部材２０は、軸方向中間部に段差部が形成された有底筒体形状で、開口端側の基端部２１はフランジ形状に形成されている。そして、ロッド部材２０内の段差部に円板２２が保持され、この円板２２にサーモエレメント１０のピストン１２の先端が当接可能に配設されている。尚、サーモエレメント１０が非作動状態にあるときには、ピストン１２の先端と円板２２との間に若干の間隙が存在するように配設するとよい。第２のハウジング２内の底部には環状のリテーナ８０が配置されており、このリテーナ８０とロッド部材２０の基端部２１との間に、圧縮コイルばねの付勢部材３０がロッド部材２０周りに介装されており、付勢部材３０はリターンスプリングとして機能する。而して、ロッド部材２０は、サーモエレメント１０の作動時には付勢部材３０の付勢力に抗して図１の右方に押圧駆動され、サーモエレメント１０が非作動とされると、付勢部材３０の付勢力によって図１の左方に戻され、初期位置に復帰する。
【００２４】
上記の構成になるサーモアクチュエータにおいて、サーモエレメント１０が非作動状態にあるときには、付勢部材３０による付勢力はロッド部材２０の基端部２１及び隔壁板５０を介して保持部材４０で負担されるので、サーモエレメント１０に付勢力が付与されることはない。即ち、非作動状態のサーモエレメント１０は自由状態で保持されるので、良好な耐久性を維持することができる。
【００２５】
そして、排気熱回収装置（図示せず）で熱交換されて加熱された冷却媒体がパイプ１ａを介して熱媒体流路ＨＰ内に導入されると、サーモエレメント１０の本体部１１内の熱膨張体（サーモワックス）が加熱され、所定温度を越えると（サーモワックスが溶解すると）、ピストン１２が前進駆動され（図１の右方に移動し）、円板２２を介してロッド部材２０が押圧され、ロッド部材２０は付勢部材３０の付勢力に抗して図１の右方に押圧駆動される。このとき、サーモエレメント１０は、本体部１１に固定された隔壁板５０を介して保持部材４０で適切に支持されているので、ロッド部材２０からサーモエレメント１０に加えられる反力によって隔壁板５０が撓むことはなく、安定した保持状態が維持される。特に、サーモエレメント１０の本体部１１が固定される隔壁板５０の位置と、保持部材４０に支持される隔壁板５０の位置との距離を短く設定し得る高剛性の構造であるので、隔壁板５０が撓むおそれはなく、適切な結合状態を維持することができる。
【００２６】
また、隔壁板５０の外径は保持部材４０の外径より小に設定されており、隔壁板５０は保持部材４０と共に第１のハウジング１内に収容可能である。そして、隔壁板５０は保持部材４０と第２のハウジング２のフランジ部２ｆとの間に挟持されるように構成されており、第１のハウジング１と第２のハウジング２をボルト・ナット結合するだけでよく、別途隔壁板５０を挟持した状態でフランジ部１ｆ及び２ｆを接合する必要はないので、容易に組み付けることができる。尚、上記の組付手順は後述（図３に示す）の組付手順と同様である。
【００２７】
次に、図２は、本発明の他の実施形態に係るサーモアクチュエータを示すもので、上記の構成に加え、段付環状部材のソケット６０が第１のハウジング１及び第２のハウジング２内に嵌合されている。このソケット６０は、サーモエレメント１０が非作動状態にあるときにはロッド部材２０ｘの基端部（後述の環状係合部２１ｘ）が当接する軸方向端面を有し、保持部材４０とソケット６０との間に隔壁板５０が挟持された状態で、第１のハウジング１と第２のハウジング２が前述のように接合される。
【００２８】
図２に示すように、本実施形態のロッド部材２０ｘは中実部材で、その基端部にはソケット６０の内径より大径の環状係合部２１ｘが延出形成され、この環状係合部２１ｘがソケット６０の一方の軸方向端面に当接するように構成されている。また、基端部の端面には円錐凹部２２ｘが形成され、（前述の円板２２を廃し）ピストン１２の先端がロッド部材２０ｘの円錐凹部２２ｘに直接当接可能な構成とされている。更に、第２のハウジング２から延出するロッド部材２０ｘの先端部にはヘッド部材２３ｘが固定されているが、これは省略してもよい。尚、サーモエレメント１０が非作動状態にあるときには、ピストン１２の先端と円錐凹部２２ｘとの間に若干の間隙が存在するように配設するとよい。そして、リテーナ８０とロッド部材２０ｘの環状係合部２１ｘとの間には、円錐台形状の圧縮コイルばねで形成されリターンスプリングとして機能する付勢部材３０ｘがロッド部材２０ｘ周りに介装されている。尚、図２におけるその他の構成は図１に示す構成と同様であるので、図１と実質的に同じ構成部材には図１と同じ符合を付して説明を省略する。
【００２９】
而して、ロッド部材２０ｘは、サーモエレメント１０の作動時には付勢部材３０ｘの付勢力に抗して図２の右方に押圧駆動され、サーモエレメント１０が非作動とされると、付勢部材３０ｘの付勢力によって図２の左方に戻され、初期位置に復帰する。そして、サーモエレメント１０が非作動状態にあるときには、付勢部材３０ｘによる付勢力はロッド部材２０ｘの環状係合部２１ｘ、ソケット６０及び隔壁板５０を介して保持部材４０で負担され、サーモエレメント１０に付勢力が付与されることはないので、良好な耐久性を維持することができる。更に、隔壁板５０はソケット６０の他方の軸方向端面と保持部材４０との間に挟持されるように構成されているので、以下に組付状況を説明するように、容易に組み付けることができると共に、適切な結合状態を維持することができる。
【００３０】
図３は、図２に示す実施形態のサーモアクチュエータの排気熱回収装置（図示せず）への組付状況を示すもので、第１のハウジング１内に前述のように保持部材４０が固定される。そして、サーモエレメント１０は、その本体部１１に隔壁板５０が装着され、止め輪１４によって保持されると共に、シール部材１５が装着され、図３の中央に示すサブアセンブリの状態で、サーモエレメント１０の本体部１１が保持部材４０の中空部４１内に収容される。
【００３１】
一方、第２のハウジング２内には、シール部材７０、リテーナ８０、付勢部材３０ｘ、ロッド部材２０ｘ及びソケット６０の順で装着され、その状態で、ソケット６０の（他方の）軸方向端面が隔壁板５０に当接するように組み付けられると、サーモエレメント１０とロッド部材２０ｘが同軸上に配置され、前述のようにピストン１２の先端と円錐凹部２２ｘとの間に若干の間隙が存在する状態で保持される。
【００３２】
これによりフランジ部１ｆ及び２ｆが当接した状態となり、両者がボルト・ナット結合されて第１のハウジング１と第２のハウジング２が接合され、図２に示す状態となる。このように、隔壁板５０は予めサーモエレメント１０に装着されており、フランジ部１ｆ及び２ｆを接合する際に両者間に隔壁板５０を挟持する必要はないので、容易に組み付けることができ、組み付け後には、サーモエレメント１０とロッド部材２０ｘが同軸上に配置された適切な結合状態が維持される。
【００３３】
図４は、更に他の実施形態のサーモアクチュエータを示すもので、段付環状部材のソケット６０の中空部に小径部６１が形成されており、この小径部６１にサーモエレメント１０の本体部１１の先端が嵌合するように構成されている。本実施形態においては、小径部６１の内面は、図４の左から右に向かって内径が漸減するテーパ面に形成されており、サーモエレメント１０の本体部１１の先端が嵌合すると、必然的にサーモエレメント１０とロッド部材２０ｘが同軸上に配置される（調心される）ように構成されている。尚、図４におけるその他の構成は図２に示す構成と同様であるので、図２と実質的に同じ構成部材には図２と同じ符合を付して説明を省略する。
【符号の説明】
【００３４】
１  第１のハウジング
２  第２のハウジング
１０  サーモエレメント
１１  本体部
１２  ピストン
２０、２０ｘ  ロッド部材
３０、３０ｘ  付勢部材
４０  保持部材
５０  隔壁板
６０  ソケット（環状部材）
７０  シール部材
８０  リテーナ
【図１】
0006422392.tif 000002
【図２】
0006422392.tif 000003
【図３】
0006422392.tif 000004
【図４】
0006422392.tif 000005